(57)【特許請求の範囲】
【請求項１】
モータハウジングと、
前記モータハウジングに収容されたモータと、
前記モータに設けられたモータ側端子と、
前記モータハウジングの長軸方向の一端側に対向状に組み付けられ、前記モータを駆動または停止するべく操作可能な操作部を有するスイッチブロックと、
前記スイッチブロックに設けられ、前記モータ側端子に接続されるスイッチ側端子と、を有し、
前記モータにより動力伝達機構を介して先端工具を駆動させ、これにより先端工具に所定の加工作業を遂行させる電動工具であって、
前記モータハウジングと前記スイッチブロックの一方には前記モータハウジングの長軸方向に延在する中空状の筒状部材が設けられ、他方には前記筒状部材と嵌合する嵌合部材が設けられており、
前記筒状部材の中空部内で前記モータ側端子と前記スイッチ側端子が接続されるとともに、前記筒状部材と前記嵌合部材は、前記モータ側端子と前記スイッチ側端子が少なくとも接続されている間、当該端子相互の接続部を前記筒状部材の外部から遮断するように嵌合状態を維持する構成としたことを特徴とする電動工具。
【請求項２】
請求項１に記載の電動工具であって、
前記モータ側端子と前記スイッチ側端子の一方がソケットによって形成され、他方が前記ソケットに対し前記モータハウジングの長軸方向に沿って差し込まれるプラグによって形成されるとともに、前記ソケットと前記プラグの差し込みによる接続が前記筒状部材の中空部内で行われる構成とされており、
前記モータハウジングの一端側に当該モータハウジングの長軸方向に沿って前記スイッチブロックが組み付けられる際、前記筒状部材と前記嵌合部材が前記モータハウジングの長軸方向に沿って嵌め合わされるとともに、当該嵌め合い動作に基づき前記プラグが前記ソケットに差し込まれる構成としたことを特徴とする電動工具。
【請求項３】
請求項１または２に記載の電動工具であって、
前記モータの固定子と前記スイッチブロックは、前記モータハウジングに対し当該モータハウジングの長軸方向に沿って互いに反対方向から組み付けられる構成とされ、
前記モータハウジングには前記筒状部材が形成され、前記モータの固定子及び前記スイッチブロックには、それぞれの組付け方向の前方に前記嵌合部材が形成されており、
前記モータハウジングに前記モータの固定子及び前記スイッチブロックが組み付けられる際、前記モータ側の嵌合部材及び前記スイッチブロック側の嵌合部材が、前記筒状部材に嵌め合わされ、当該嵌め合いにより前記モータハウジングに対する前記モータの固定子及び前記スイッチブロックの前記組み付けが案内される構成としたことを特徴とする電動工具。
【発明の詳細な説明】
【技術分野】
【０００１】
本発明は、先端工具を駆動するためのモータを備えた電動工具に関し、詳しくはモータの端子接続部の防塵技術に関する。
【背景技術】
【０００２】
モータにより先端工具を駆動する電動工具において、例えば実開昭６１−８４６５８号公報（特許文献１）には、モータ側端子と電源側端子とをプラグ・ソケット式の接続手段により接続する構成が開示されている。公報に記載の電動工具では、ステータのコイル端子と接続するモータ側のソケット式端子に、電源スイッチと接続する電源配線組立体側のプラグ式端子が差し込まれて接続される構成である。
【０００３】
一般に、電動工具ではハウジングの内部空間に外気を導入してモータを冷却することが行われる。従って、金属材料の研削、研磨作業に用いられるディスクグラインダのような電動工具の場合、加工作業によって発生した金属片が外気と共にハウジングの内部空間に侵入する可能性がある。そして研削、研磨作業時の振動等に原因して端子接続部に弛みが発生し、その一部が内部空間に露出したような場合、内部空間に侵入した金属片が当該露出部に接触して漏電する可能性がある。すなわち、従来の端子接続部は防塵性に問題があり、この点でなお改良の余地がある。
【特許文献１】実開昭６１−８４６５８号公報
【発明の開示】
【発明が解決しようとする課題】
【０００４】
本発明は、モータにより先端工具を駆動する電動工具において、端子接続部の防塵性の向上に資する技術を提供することを目的とする。
【課題を解決するための手段】
【０００５】
上記課題を達成するため、本発明に係る電動工具の好ましい形態は、モータハウジングと、モータハウジングに収容されたモータと、モータに設けられたモータ側端子と、モータハウジングの長軸方向の一端側に対向状に組み付けられ、モータを駆動または停止するべく操作可能な操作部を有するスイッチブロックと、スイッチブロックに設けられ、モータ側端子に接続されるスイッチ側端子と、を備えている。そしてモータにより動力伝達機構を介して先端工具を駆動させ、これにより先端工具に所定の加工作業を遂行させる構成とされる。なお、本発明における「電動工具」は、典型的には研削作業や研磨作業に用いられるディスクグラインダのようなモータを駆動源とする電動工具がこれに該当する。また、本発明における「モータ」は、モータ構成部材のうちの、固定子がこれに該当し、従って本発明における「モータ側端子」とは、固定子に装着される固定子巻線のコイル端子がこれに該当する。また、本発明における「スイッチ側端子」とは、典型的には固定子巻線のコイル端子と接続される電源端子がこれに該当する。
【０００６】
本発明に係る電動工具の好ましい形態によれば、モータハウジングとスイッチブロックの一方にはモータハウジングの長軸方向に延在する中空状の筒状部材が設けられ、他方には筒状部材と嵌合する嵌合部材が設けられている。そして筒状部材の中空部内でモータ側端子とスイッチ側端子が接続されるとともに、筒状部材と嵌合部材は、モータ側端子とスイッチ側端子が少なくとも接続されている間、当該端子の接続部を筒状部材の外部から遮断するように嵌合状態を維持する構成とした。なお、本発明における「遮断する」とは、モータ側端子とスイッチ側端子の接続部を、筒状部材の空間に収容して当該筒状部材の外部から隔離することをいう。また、本発明における「維持する」とは、例えば振動等でモータハウジングとスイッチブロックが互いに離れる方向に相対移動し、これによりモータ側端子とスイッチ側端子の接続が解除されるに至るまでの間、嵌合状態を継続する態様がこれに該当する。
【０００７】
本発明によれば、モータ側端子とスイッチ側端子の接続部位につき、少なくともモータ側端子とスイッチ側端子が接続されている間、筒状部材と嵌合部材との嵌合状態を維持して筒状部材の外部から遮断する構成としたことにより、電動工具による加工作業時に発生した金属粉等が、モータを冷却する冷却風と共にモータハウジング内に侵入して端子接続部に付着することを防止できる。これにより端子接続部に金属粉等が付着することに起因する漏電あるいは短絡を防止することができる。
【０００８】
本発明に係る電動工具の更なる形態によれば、モータ側端子とスイッチ側端子の一方がソケットによって形成され、他方がソケットに対しモータハウジングの長軸方向に沿って差し込まれるプラグによって形成されるとともに、ソケットとプラグの差し込みによる接続が筒状部材の中空部内で行われる構成とされている。そしてモータハウジングの一端側に当該モータハウジングの長軸方向に沿ってスイッチブロックが組み付けられる際、筒状部材と嵌合部材がモータハウジングの長軸方向に沿って嵌め合わされるとともに、当該嵌め合い動作に基づきプラグがソケットに差し込まれる構成としている。
本発明によれば、モータ側端子とスイッチ側端子を、プラグとソケットによる接続方式とし、そしてモータハウジングにスイッチブロックを組み付ける際の筒状部材と嵌合部材の嵌め合い動作を利用してプラグがソケットに差し込まれる構成としたので、モータハウジングに対するスイッチブロックの組付け作業を行うことで、同時にモータ側端子とスイッチ側端子を接続することができ、組付け作業性が向上する。
【０００９】
本発明に係る電動工具の更なる形態によれば、モータの固定子とスイッチブロックは、それぞれが当該モータハウジングの長軸方向に沿ってかつ互いに反対方向からモータハウジングに組み付けられる構成とされている。またモータハウジングには筒状部材が形成され、モータの固定子及びスイッチブロックには、それぞれの組付け方向の前方に嵌合部材が形成されている。そしてモータハウジングにモータの固定子及びスイッチブロックが組み付けられる際、モータ側の嵌合部材及びスイッチブロック側の嵌合部材が筒状部材に嵌め合わされ、当該嵌め合いによりモータハウジングに対するモータの固定子及びスイッチブロックの組み付けが案内される構成とした。このように、本発明によれば、筒状部材とこれに嵌め合わされる嵌合部材に、モータハウジングに対するモータの固定子及びスイッチブロックの組付け案内機能を持たせたことにより、当該組み付け作業の効率化を図ることができる。
【発明の効果】
【００１０】
本発明によれば、モータにより先端工具を駆動する電動工具において、端子接続部の防塵性の向上に資する技術が提供されることとなった。
【発明を実施するための最良の形態】
【００１１】
以下、本発明の実施形態につき、図１〜図８を参照しつつ、詳細に説明する。本実施の形態は、電動工具の一例として、金属、コンクリート、石材等の各種被加工材の研削作業あるいは研磨作業に用いられる手持ち式の電動ディスクグラインダを用いて説明する。図１は電動ディスクグラインダ１０１の全体構成を示す側面図である。図２はモータハウジング１０５にスイッチブロック１５３が組付けられた斜視図であり、リアカバー１０９が取り外されている。図３はモータハウジング１０５とスイッチブロック１５３の分解斜視図であり、リアカバー１０９が取り外されている。図４は図２の断面図である。また図５はモータハウジング１０５のリアハウジング１０５Ｂに駆動モータ１２１の固定子１２７とスイッチブロック１５３が組付けられた斜視図であり、図６はそれらの分解斜視図であり、図７は図５の断面図である。また図８は図７のＡ部の拡大図である。なお、図５〜図７ではモータハウジング１０５のフロントハウジング１０５Ａが省略されている。
【００１２】
図１に示すように、電動ディスクグラインダ１０１は、概括的に見て、電動ディスクグラインダ１０１の外郭を形成する本体部１０３と、本体部１０３の先端領域に配置される円盤状の砥石１１９とを主体として構成される。本体部１０３は、モータハウジング１０５、モータハウジング１０５の一端側に連接されるギアハウジング１０７及びモータハウジング１０５の他端側に着脱自在に装着されるリアカバー１０９を主体として構成される。砥石１１９は、本発明における「先端工具」に対応する。なお、説明の便宜上、本体部１０３の長軸方向における砥石１１９側（図示右側）を前、その反対側を後という。
【００１３】
図２〜図４に示すように、モータハウジング１０５は、概ね円筒形状に形成されるとともに、当該モータハウジング１０５の内部空間には駆動モータ１２１（図４参照）が収容されている。モータハウジング１０５は、電動ディスクグラインダ１０１を操作して加工作業を行う際の、作業者が手で握るグリップ部を構成している。駆動モータ１２１は、その回転軸線方向が電動ディスクグラインダ１０１の長軸方向、すなわち本体部１０３の長軸方向となるように配置されている。なお、駆動モータ１２１はモータハウジング１０５に固定される中空状の固定子１２７、固定子１２７の内側に回転自在に配置される電機子、当該電機子と共に回転する出力軸及び整流子、さらには当該整流子に源流を供給するブラシ等を主体として構成されるが、本実施の形態では、これらモータ構成部材のうち、固定子１２７のみが図４〜図７に示され、固定子１２７以外の主たるモータ構成部材については便宜上図示が省略されている。駆動モータ１２１は、本発明における「モータ」に対応する。
【００１４】
図１に示すように、モータハウジング１０５の前端側（図示右側）には、ギアハウジング１０７が連接されており、当該ギアハウジング１０７内には駆動モータ１２１の回転出力を砥石１１９に伝達するための動力伝達機構（便宜上図示を省略する）が収容されている。なお、砥石１１９は砥石カバー１０８によって後側の概ね半周分が覆われる。駆動モータ１２１の回転出力は、動力伝達機構を介して砥石１１９に周方向の回転運動として伝達される。砥石１１９は、モータハウジング１０５の長軸方向（本体部１０３の長軸方向）の一端側（前側）において、その回転軸線が駆動モータ１２１の回転軸線に対して直交するように配置されている。
【００１５】
駆動モータ１２１は、電源コード１７１（図１参照）を用いて電源（コンセント）から供給される電力によって駆動される。モータハウジング１０５の後端部側には、スイッチブロック１５３（図２〜図４参照）が対向状に取り付けられている。このスイッチブロック１５３は、モータ駆動用の電源スイッチ１５７（図４参照）、当該電源スイッチ１５７をオン・オフ操作するための操作レバー１５５、及び電源コード１７１と接続される端子等が組み込まれたスイッチ構造体であり、常時にはモータハウジング１０５の後端部に被さるように装着されるリアカバー１０９内に収容されている。操作レバー１５５は、本発明における「操作部」に対応する。操作レバー１５５は、図１に示すようにモータハウジング１０５にリアカバー１０９が装着された状態において、当該リアカバー１０９の後端開口から外部に突出されて作業者による操作が可能とされる。操作レバー１５５がオン位置に操作されると、駆動モータ１２１が通電駆動され、オフ位置に操作されると、駆動モータ１２１が停止される。従って、作業者は、モータハウジング１０５を把持するとともに、操作レバー１５５の操作を介して駆動モータ１２１を通電駆動して砥石１１９を回転駆動し、被加工材の研削や研磨作業あるいは切断作業を適宜に行うことができる。
【００１６】
次に、モータハウジング１０５に対する駆動モータ１２１の固定子１２７とスイッチブロック１５３の組み付け構造、及び駆動モータ１２１の固定子巻線１６１のコイル端子１６３とスイッチブロック１５３の電源端子１５９との接続構造につき説明する。
【００１７】
本実施形態に係るモータハウジング１０５は、その長軸方向、すなわち本体部１０３の長軸方向において、フロントハウジング１０５Ａとリアハウジング１０５Ｂとの前後２つに分割されている。フロントハウジング１０５Ａは、長軸方向の前後両端が開口された中空状の内部空間を有するとともに、後端部には段付嵌合部１０５ｂを有する。またリアハウジング１０５Ｂは、長軸方向の前端側のみが開口された中空状の内部空間を有するとともに、前端部には段付嵌合部１０５ｃを有する。そしてフロントハウジング１０５Ａとリアハウジング１０５Ｂは、図４に示すように、駆動モータ１２１の固定子１２７をフロントハウジング１０５Ａの内部空間に後側開口から挿入した状態で、それぞれの段付嵌合部１０５ｂ，１０５ｃが互いに嵌め合わされるとともに、ネジ等の止着手段（便宜上図示を省略する）で止着されることにより組み付けられる。
【００１８】
上記の組付け時において、フロントハウジング１０５Ａの内部空間に挿入された固定子１２７は、図４に示すように、挿入方向の前側端面がフロントハウジング１０５Ａにおける長軸方向と交差する受け部としての内壁段差面１０５ｄと当接し、挿入方向の後端面がリアハウジング１０５Ｂの長軸方向と交差する受け部としての内壁段差面１０５ｅに当接する。すなわち、固定子１２７はフロントハウジング１０５Ａの内壁段差面１０５ｄとリアハウジング１０５Ｂの内壁段差面１０５ｅにより長軸方向の両側から挟み付けられた状態で、当該固定子１２７を長軸方向に貫通して延在するネジ等の止着手段によりフロントハウジング１０５Ａ及びリアハウジング１０５Ｂと共に固定される。
【００１９】
リアハウジング１０５Ｂには、段付嵌合部１０５ｃの後方の外側領域に複数（４個）のスリーブ１６５が周方向に所定間隔で設定されている（特に図６参照）。スリーブ１６５は、本発明における「筒状部材」に対応する。各スリーブ１６５は、リアハウジング１０５Ｂの長軸方向に所定長さで延在されるとともに、延在方向の両端が開口された断面略方形状の中空部を有する。なお、リアハウジング１０５Ｂにはスリーブ１６５の前側開口と対向する領域に当該リアハウジング１０５Ｂの内部空間と外側をつなぐ貫通孔１０５ｆが形成されている。
【００２０】
固定子１２７の後端側には、スリーブ１６５に対応して周方向に４個の組付け用の柱状突起１６７が一体状に形成されている（特に図６参照）。柱状突起１６７は、本発明における「嵌合部材」に対応する。各柱状突起１６７は、外形がスリーブ１６５の中空部と対応する略方形状に形成されるとともに、固定子１２７の後端部から長軸方向後方へと突出されている。そして各柱状突起１６７は、フロントハウジング１０５Ａとリアハウジング１０５Ｂとの組み付け時において、リアハウジング１０５Ｂの貫通孔１０５ｆを通してスリーブ１６５の中空部に前方から嵌入される。従って、スリーブ１６５と固定子１２７の柱状突起１６７は、リアハウジング１０５Ｂに固定子１２７を組み付ける際のガイドとしても機能する。なお、固定子１２７の柱状突起１６７をリアハウジング１０５Ｂのスリーブ１６５に嵌入する作業は、フロントハウジング１０５Ａとリアハウジング１０５Ｂとの組み付け作業に先行して行っても構わない。
【００２１】
スイッチブロック１５３の前端部側には、リアハウジング１０５Ｂのスリーブ１６５に対応して周方向に４個の柱状突起１６９が一体状に形成されている（図３及び図６参照）。柱状突起１６９は、本発明における「嵌合部材」に対応する。柱状突起１６９は、外形がスリーブ１６５の中空部と対応する略方形状に形成されるとともに、スイッチブロック１５３の前端部から長軸方向前方へと突出されており、リアハウジング１０５Ｂのスリーブ１６５の中空部内に後方から嵌入される。これによりスイッチブロック１５３がリアハウジング１０５Ｂに組み付けられる（図２，４，５，７参照）。なお、スリーブ１６５に対する柱状突起１６７，１６９の嵌合は、隙間なくぴったりと嵌り合うような設定とすることが好ましい。
【００２２】
リアハウジング１０５Ｂには、スイッチブロック１５３の組付け後において、前方が開口された中空状の内部空間を有するリアカバー１０９（図１参照）がリアハウジング１０５Ｂの後方から被さるように装着される。これにより、リアハウジング１０５Ｂ及びスイッチブロック１５３は、リアハウジング１０５Ｂの内部空間に収容される。なお、リアカバー１０９にはモータ冷却用の外気を取り込むための通風窓１０９ｂが形成されている。駆動モータ１２１が駆動されたとき、便宜上図示を省略する冷却ファンの回転により通風窓１０９ｂを通して内部空間へと導入された外気が、リアハウジング１０５Ｂが有する隙間を通してフロントハウジング１０５Ａの内部空間の前方へと流れ、これにより駆動モータ１２１が冷却される。
【００２３】
固定子１２７の各柱状突起１６７には、駆動モータ１２１の固定子巻線１６１のコイル端子１６３が埋設されている。コイル端子１６３は、本発明における「モータ側端子」に対応する。コイル端子１６３は、柱状突起１６７の後端部にプラグ差込口として開口するソケットとして設定されている。一方、スイッチブロック１５３の各柱状突起１６９には、コイル端子１６３と接続される電源端子１５９が設けられる。電源端子１５９は、本発明における「スイッチ側端子」に対応する。電源端子１５９は、その先端が柱状突起１６９の前端部から長軸方向前方へと所定長さで突出するプラグとして設定されており、固定子巻線１６１のコイル端子１６３を形成する上記のソケットに差し込まれて電気的に接続される。
【００２４】
すなわち、固定子巻線１６１のコイル端子１６３とスイッチブロック１５３の電源端子１５９とは、リアハウジング１０５Ｂに固定子１２１及びスイッチブロック１５３を組み付けるべく、固定子１２１の柱状突起１６７とスイッチブロック１５３の柱状突起１６９をリアハウジング１０５Ｂのスリーブ１６５の中空部に対向状に嵌め合せたとき、当該嵌め合わせ動作に基づき、同時に電源端子１５９であるプラグとコイル端子１６３であるソケットとの差し込み動作が行われ、これにより端子相互の接続がなされる。かくして、スリーブ１６５の中空部内で接続されたコイル端子１６３と電源端子１５９の接続部位は、スリーブ１６５に嵌合された各柱状突起１６７，１６９により当該スリーブ１６５の外側、すなわちリアカバー１０９の内部空間から遮断（隔離）される。リアカバー１０９の内部空間が、本発明における「外部」に対応する。
【００２５】
また、図８に示すように、スリーブ１６５に対する固定子１２１の柱状突起１６７の嵌め合い長さＬ１、及びスイッチブロック１５３の柱状突起１６９の嵌め合い長さＬ２それぞれが、コイル端子１６３と電源端子１５９との接触長さ（プラグとソケットとの差し込み長さ）Ｌよりも大きく設定されている。このため、スイッチブロック１５３が、例えば電動ディスクグラインダ１０１の駆動時に生ずる振動等でリアハウジング１０５Ｂから離間する方向（後方）へ移動し、それに伴い電源端子１５９がコイル端子１６３から離れる（抜け出る）方向へと移動しても、端子接続部が電気的に接続されている間、スリーブ１６５に対する柱状突起１６９の嵌合状態が維持され、スリーブ１６５の外側、すなわちリアカバー１０９の内部空間に対する端子接続部の遮断状態が継続される。
【００２６】
上述したように、本実施の形態によれば、リアハウジング１０５Ｂに対し固定子１２７とスイッチブロック１５３を組み付けるべく、リアハウジング１０５Ｂに設けたスリーブ１６５の中空部内に、固定子１２７の柱状突起１６７とスイッチブロック１５３の柱状突起１６９とを両側から対向状に嵌め込んだとき、同時にコイル端子１６３と電源端子１５９がプラグ、ソケット式の接続手段によって接続される構成としている。このため、コイル端子１６３と電源端子１５９との接続作業が別途に行う必要がなく、組付け性を向上することができる。
【００２７】
また、本実施の形態によれば、固定子巻線１６１のコイル端子１６３とスイッチブロック１５３の電源端子１５９がスリーブ１６５の中空部内で接続され、スリーブ１６５の外側から遮断された状態に置かれるとともに、当該遮断状態は砥石駆動時の振動等でスイッチブロック１５３がリアハウジング１０５Ｂから離れる方向（後方）へ移動しても継続される構成としている。このため、被加工材の研削あるいは研磨作業時にリアカバー１０９の通風窓１０９ｂから侵入した金属粉等が端子接続部に付着することを防止し、これにより漏電あるいは短絡を防止することができる。
【００２８】
また、本実施の形態では、モータハウジング１０５を、その長軸方向において２分割されたフロントハウジング１０５Ａとリアハウジング１０５Ｂにより形成し、そして駆動モータ１２１の固定子１２７を長軸方向の両側からフロントハウジング１０５Ａとリアハウジング１０５Ｂにより挟み付けてネジ等により固定する構成としたので、固定子１２７をモータハウジング１０５に確実に固定することができる。
【００２９】
なお、本実施の形態では、電動工具の一例として電動ディスクグラインダ１０１を用いて説明したが、モータハウジング１０５の後端部に、駆動モータ１２１を駆動または停止する電源スイッチ、及び当該電源スイッチを操作する操作ノブ等を備えたスイッチブロック１５３が取り付けられる構成の電動工具であれば、適用可能である。
また、本実施の形態では、モータハウジング１０５がフロントハウジング１０５Ａとリアハウジング１０５Ｂに分割された２分割構造の場合で説明したが、モータハウジング１０５が一体構造の場合であっても、スリーブ１６５と柱状突起１６７，１６９とを用いた組付け構造及びコイル端子１６３と電源端子１５９との接続構造については、同様に構成することが可能である。
また、スリーブ１６５と柱状突起１６７，１６９との嵌め合い構造に関し、スリーブ１６５の内周面と柱状突起１６７，１６９の外周面との間にゴムリング等を介在してスリーブ１６５の中空部を密閉構造としてもよい。
また、本実施の形態では、スリーブ１６５をモータハウジング１０５に設定し、柱状突起１６７，１６９を固定子１２７とスイッチブロック１５３に設定したが、モータハウジングに中将突起を設定し、固定子１２７とスイッチブロック１５３にスリーブを設定しても構わない。
【００３０】
なお、本発明の趣旨に鑑み、以下の態様を構成することができる。
（態様１）
「請求項１〜３のいずれか１つに記載の電動工具であって、
前記筒状部材と前記嵌合部材との間にゴムリングが介在されていることを特徴とする電動工具。」
【００３１】
態様１に記載の発明によれば、筒状部材の中空部を密閉構造とし、金属粉等の侵入防止効果をより一層向上できる。
【００３２】
（態様２）
「請求項３に記載された電動工具であって、
前記モータハウジングは、その長軸方向において、前記モータの固定子を収容するとともに、当該固定子の長軸方向一端と当接可能な受け面を有するフロントハウジングと、前記スイッチブロックが取り付けられるとともに、前記固定子の長軸方向他端と当接可能な受け面を有するリアハウジングとに分割されており、
前記フロントハウジングと前記リアハウジングは、前記フロントハウジングの受け面と前記リアハウジングの受け面とにより前記固定子を両側から挟んだ状態で互いに接合される構成としたことを特徴とする電動工具。」
【００３３】
態様２に記載の発明によれば、モータの固定子をフロントハウジングとリアハウジングにより両側から挟んで固定するため、モータハウジングに対し固定子を確実に固定することができる。
【図面の簡単な説明】
【００３４】
【図１】電動ディスクグラインダの全体構成を示す側面図である。
【図２】モータハウジングにスイッチブロックが取り付けられた斜視図であり、リアカバーが取り外されている。
【図３】モータハウジングとスイッチブロックの分解斜視図であり、リアカバーが取り外されている。
【図４】図４は図２の断面図である。
【図５】モータハウジングのリアハウジングに固定子とスイッチブロックが組付けられた斜視図である。
【図６】リアハウジング、固定子及びスイッチブロックの分解斜視図である。
【図７】図５の断面図である。
【図８】図７のＡ部の拡大図である。
【符号の説明】
【００３５】
１０１  電動ディスクグラインダ（電動工具）
１０３  本体部
１０５  モータハウジング
１０５Ａ  フロントハウジング
１０５Ｂ  リアハウジング
１０５ｂ  段付嵌合部
１０５ｃ  段付嵌合部
１０５ｄ  内壁段差面
１０５ｅ  内壁段差面
１０５ｆ  貫通孔
１０７  ギアハウジング
１０８  砥石カバー
１０９  リアカバー
１０９ｂ  通風窓
１１９  砥石（先端工具）
１２１  駆動モータ（モータ）
１２７  固定子
１５３  スイッチブロック
１５５  操作レバー
１５７  電源スイッチ
１５９  電源端子（スイッチ側端子）
１６１  固定子巻線
１６３  コイル端子
１６５  スリーブ
１６７  柱状突起（嵌合部材）
１６９  柱状突起（嵌合部材）
１７１  電源コード
【図１】
0005001824.tif 000002
【図２】
0005001824.tif 000003
【図３】
0005001824.tif 000004
【図４】
0005001824.tif 000005
【図５】
0005001824.tif 000006
【図６】
0005001824.tif 000007
【図７】
0005001824.tif 000008
【図８】
0005001824.tif 000009